(57)【要約】【課題】水位調節が容易で運転が容易なウオーターバス式気体清浄装置を提供する。【解決手段】箱状の密閉容器２の天井から垂下するように仕切り板４を設け、これで容器内上部空間を前室６と後室８に分ける。処理すべき気体は前室側に導かれる。後室８の上には処理気体の出口１４があり、ここから集塵スクリーン１６を経てダクト１８が延びており、その先は吸入ファン２０に繋がっている。入口１０の下側の側壁に給水パイプ２２を導く。反対側の側壁外面にはオーバーフロータンク２４を取り付け、該タンクの底と容器の間を管２６で連通し、余分な水はオーバーフロータンクから溢れ出るようにして容器２内の水位を保つ。【選択図】図１
0003132698.tif 000002
【実用新案登録請求の範囲】
【請求項１】
密閉された容器と；
該容器内に水を連続的に供給する手段と；
該容器の外部にあって該容器と管で連通し、該容器内の液面を所望のレベルに保つためのオーバーフロータンクと；
下端が水中に浸るように該容器内に取り付けられ、該容器内の水面上の空間を前室と後室とに分ける仕切り板と；
処理気体を該前室に導入し、さらに該仕切り板の下を潜って水の飛沫と共に該後室内に導入し、該容器の外部に排出するファンと；
該後室の出口側に設けた水滴および粉塵を捕捉するスクリーンからなる気体清浄装置。
【請求項２】
該オーバーフロータンクが、該容器に対し高さ調節自在に設置されている請求項１に記載の気体清浄装置。
【請求項３】
該オーバーフロータンクの壁の一部を上下にスライド自在に形成し、該スライド部分に水の排出口を設けた請求項１または２に記載の気体清浄装置。
【請求項４】
該後室で水面が波立つのを抑えるために水面を覆う消波板を設けた請求項１〜３のいずれかに記載された気体清浄装置。
【請求項５】
気体が該仕切り板の下を潜るときに、該容器内に溜まっている水を巻き上げるように、該仕切り板の下縁に沿って、円弧状断面の曲折部を形成し、この円弧状曲折部と対向する格好で、しかも、それより少し低い位置に、円弧状断面のガイドを設けた請求項１〜４のいずれかに記載の気体清浄装置。
【考案の詳細な説明】
【技術分野】
【０００１】
本考案は気体中に含まれる粉塵や悪臭を除去するための装置に関する。
【背景技術】
【０００２】
気体中に含まれる粉塵や悪臭を除去するために、従来、ウオーターバス方式の装置が用いられている。この装置は、処理すべき気体を水の中を潜らせるようにして水の飛沫を作り出し、処理気体を水の飛沫と接触させることで、気体中の粉塵や悪臭源を捕捉して浄化を行う。この種の装置では、容器内の水位を一定に保つことが必要であり、例えば特許文献１の装置では、容器内に設けた水位調節ゲートの高さを調節して、一定水位を保つようにしている。しかしこのような構造では、同ゲートが容器内にあって、外から調節しにくいという問題がある。
【特許文献１】実用新案登録第３１２２５４５号
【考案の開示】
【考案が解決しようとする課題】
【０００３】
この考案は、清浄効果が高く運転もし易いウオーターバス式気体清浄装置を提供することを課題とする。
【課題を解決するための手段】
【０００４】
この発明の気体清浄装置は、密閉された容器と、容器内に水を連続的に供給する手段と、容器の外部にあって容器と管で連通するオーバーフロータンクと、下端が水中に浸るように容器内に取り付けられ、容器内の水面上の空間を前室と後室とに分ける仕切り板と、浄化すべき気体を前室から該仕切り板の下を潜って水の飛沫と共に後室内に導入するファンと、後室の出口に設けた、水滴および粉塵を捕捉するスクリーンからなる（請求項１）。
【０００５】
この装置では、ファンを始動すると、処理すべき気体が前室に導入され、さらに、水に浸かっている仕切り板の下縁をくぐって後室に達し、吸入ファンを通って、大気に放出される。気体ガスが水の中を通って後室に出るとき、水しぶきを巻き上げ、後室において気体と水の飛沫とが接触し、気体中の粒子が水に捕捉される。
【０００６】
容器内の水位は仕切り板の下縁が浸るくらいに保持する必要があり、この考案では容器の外部にあって容器と連通するオーバーフロータンクで水位を調整する。このため構造が簡単になり、水位調整が容易である。
【０００７】
オーバーフロータンクは、それ自体の高さを調節自在に設置してもよいし（請求項２）、オーバーフロータンクの壁の一部に上下にスライド自在な部分を設け、そのスライド部分に水の排出口を設けてもよい（請求項３）。
【０００８】
該後室で水面が波立つのを抑えて水面を安定させるために、後室の水面を覆う波消しを設けることができる（請求項４）。
【０００９】
仕切り板の下縁に沿って円弧状断面の曲折部を形成し、さらに、この円弧状曲折部と対向する格好で、しかも、それより少し低い位置に、円弧状断面のガイドを設ける（請求項５）。こうすることで、ガイドが大量の水を曲折部に誘引し、曲折部はこれらの水を後室に向けて勢いよく巻き上げることができる。
【考案を実施するための最良の形態】
【００１０】
この考案の実施例を図面に基づいて説明する。この装置は図１に示すように、箱状の密閉容器２を備えており、容器の天井から垂下するように仕切り板４を設け、これで容器内上部空間を前室６と後室８に分ける。前室側の側壁には入口１０があって、処理すべき気体はダクトを通じてこの入口に導かれる。後室８の上には処理気体の出口１４があり、ここから集塵スクリーン１６を経てダクト１８が延びており、その先は吸入ファン２０に繋がっている。符号３２は後室８の中の様子を外から見るための、透明材料でできた覗き窓である。
【００１１】
入口１０の下側の容器の壁に給水パイプ２２を導く。反対側の側壁外面にはオーバーフロータンク２４を取り付け、該タンクの底と容器の間を管２６で連通し、余分な水はオーバーフロータンクから溢れ出るようにして容器２内の水位を保つようにする。
【００１２】
容器内の水位を所望のレベルに保つために、オーバーフロータンクの取付け高さは重要な要素になる。そこで図１および図３に示すように、タンク２４の両脇にアングル材２８が下に延びており、これに間隔を設けていくつかのボルト孔３０があけてあり、いずれかのボルト孔にボルト３４を挿入し、容器側の支持部材３６に固定する。このようにいくつかある中からボルト孔３０を選ぶことにより、タンク２４の取付け高さが変えられる。
【００１３】
さらに、オーバーフロータンクの排水口の高さも変えられるようになっている。すなわち、タンク２４の壁にＵの字型の切込み３８を設け、排水口４２を設けたカバープレート４０をその切込みを覆うようにボルト４４で取り付る。カバープレートにあけられたボルト孔４６は長孔に形成してあり、したがって、カバープレート（したがって排水口４２）は長孔の長径の分だけ上下位置を変えることができ、容器２内の水位の微調整ができるようになっている。なお、水漏れを防ぐため、カバープレート４０を取付けるときは、その内側にパッキンとしてゴムシート４８をあてがう。
【００１４】
このカバープレートの排水口４２には排水管５０を取り付け、その先は汚水処理槽（図示しない。）に導く。
【００１５】
前記仕切り板４は、その下縁に沿って、円弧状断面の曲折部５２を形成する。この円弧状曲折部と対向する格好で、しかも、それより少し低い位置に、円弧状断面のガイド５４を容器の壁と壁の間に渡す。
【００１６】
この装置は、家畜小屋など（例えば養鶏場にある鶏糞の貯蔵小屋）から出る排気から粉塵や悪臭を除去するために用いられる。装置の運転に先立って給水パイプ２２から容器内に給水する。給水量は毎時40〜100リットルほどである。容器２の大きさは縦横1.0m×1.6m、高さ1.6mである。
【００１７】
給水をはじめると、容器２とオーバーフロータンク２４は連通しているので、両者の水位は同一高さを保ちながら上昇していく。仕切り板４の下縁が水に浸かるようになったら、オーバーフロータンクの排水口４２から水が溢れ出るようにあらかじめ調整しておく。したがって、容器２は仕切り板の下縁だけが水に浸かるような水位をいつも保持する。
【００１８】
次いで吸入ファン２０を始動すると、後室８が負圧になって水面が上がり、その分、前室６の水面が下がり、鶏糞の貯蔵小屋からダクト１２を通って前室６に導かれた処理気体は、仕切り板４の下を通って、水を巻き込みながら後室８に吸い込まれる。前述のように、仕切り板４は、その下縁に沿って、円弧状断面の曲折部５２が形成してあり、この円弧状曲折部と対向する格好で、それより少し低い位置に、円弧状断面のガイド５４を容器の壁と壁の間に取り付けてある。このような構造になっているため、処理気体が仕切り板４の下を通って後室８に流入するとき、ガイド５４に案内され、大量の水を巻き込みながらに曲折部５２の内部へと流入し、ここから後室８に向かって勢いよく噴出する。なお、後室では必要以上に波立つことがないよう、水面に鉄板製の波消し板５６を設けてある（図２）。
【００１９】
後室８では、処理気体に巻き込まれて噴出した水が大小の水滴となって飛散し、処理気体がこれら水滴と密に接触して、処理気体中に含まれていた粉塵や微粒子が水滴に捕捉される。水滴は、大粒のものはすぐに容器内の水の中に落下し、小さいものは集塵スクリーン１６を通過するときにスクリーンに捕捉され、大粒の水滴に成長して、容器器内に溜まっている水の中に落ちる。
【００２０】
こうして粉塵や臭気物質が除去された気体が吸入ファン２０に吸い込まれ、外部に排出される。こうして鶏舎の悪臭が軽減される。
【００２１】
水に捕捉された粉塵の一部はオーバフロータンクから水と共に外に排出されるが、残りは容器２の底に沈殿する。この沈殿物を除去するために、時々、例えば２〜３ヶ月置きに容器内を清掃し、水を入れ替えるようにする。
【図面の簡単な説明】
【００２２】
【図１】気体清浄装置の縦断面図である。
【図２】同じく気体清浄装置の水平断面図である。
【図３】オーバーフロータンクの組立斜視図である。
【符号の説明】
【００２３】
２  容器
４  仕切り板
６  前室
８  後室
１６  スクリーン
２０  ファン
２２  給水パイプ
２４  オーバーフロータンク
５２  曲折部
５４  ガイド
５６  波消し
【図１】
0003132698.tif 000003
【図２】
0003132698.tif 000004
【図３】
0003132698.tif 000005